【事件の表示】
　商願２０１６−１３６１３１拒絶査定不服審判事件について、次のとおり審決する。
【結　論】
　本件審判の請求は、成り立たない。
【理　由】
１　本願商標
　本願商標は、「ＣＲＥＯ　ＥＣＡＤ−ＭＣＡＤ　ＣＯＬＬＡＢＯＲＡＴＩＯＮ　ＥＸＴＥＮＳＩＯＮ」の欧文字及び記号を書してなり、第９類及び第１６類に属する願書に記載のとおりの商品を指定商品として、平成２８年１２月２日に登録出願されたものであり、その後、指定商品については、原審における同２９年７月１１日付け手続補正書により、第９類「コンピュータソフトウェア，ダウンロード可能なコンピュータプログラム（ソフトウェア），コンピュータソフトウェア用インストラクションマニュアル及びユーザーマニュアルに関する電子出版物，電子出版物，電子応用機械器具及びその部品」と補正されたものである。
　
２　引用商標
　原査定において本願の拒絶の理由に引用した登録商標は、以下のとおりであり、いずれも現に有効に存続しているものである。
（１）登録第４３４２９７６号商標（以下「引用商標１」という。） 
・商標の構成：「ＣＬＥＯ」の欧文字を書してなるもの
・登録出願日：平成８年７月１１日
・設定登録日：平成１１年１２月１０日
・更新登録日：平成２１年１１月４日
・指定商品：第１６類「印刷物」
（２）登録第４６６９５４５号商標（以下「引用商標２」という。） 
・商標の構成：「ＣＲＥＯ」の欧文字を標準文字で表してなるもの
・登録出願日：平成１３年２月１９日
・設定登録日：平成１５年５月９日 
・更新登録日：平成２５年２月５日 
・指定商品：「光磁気ディスクドライブ，光ディスクドライブ，磁気ディスクドライブ，イメージスキャナ用のオイル塗布装置，電子応用機械器具及びその部品」を含む第９類、第１類、第２類及び第７類に属する商標登録原簿に記載のとおりの商品
（３）登録第４７４８１３４号商標（以下「引用商標３」という。） 
・商標の構成：「ＣＲＥＯ」の欧文字を標準文字で表してなるもの
・登録出願日：平成９年１０月１日       
・設定登録日：平成１６年２月２０日  
・更新登録日：平成２６年３月４日
・指定商品及び指定役務：「電子応用機械器具及びその部品」を含む第９類、第７類及び第３７類に属する商標登録原簿に記載のとおりの商品及び役務
（４）登録第４７４８１３６号商標（以下「引用商標４」という。） 
・商標の構成：「ＣＲＥＯ」の欧文字を標準文字で表してなるもの
・登録出願日：平成１２年５月９日
・設定登録日：平成１６年２月２０日 
・更新登録日：平成２６年２月１８日
・指定商品及び指定役務：「イメージセッター，サーマルイメージングヘッド」を含む第９類、第７類、第３５類、第３７類及び第４２類に属する商標登録原簿に記載のとおりの商品及び役務
（５）登録第５１７２９７１号商標（以下「引用商標５」という。） 
・商標の構成：別掲のとおり
・登録出願日：平成１９年７月２日
・設定登録日：平成２０年１０月１０日 
・更新登録日：平成３０年８月１４日  
・指定商品及び指定役務：「写真，写真立て」を含む第１６類、第３５類、第３８類、第４１類、第４２類及び第４５類に属する商標登録原簿に記載のとおりの商品及び役務
（６）登録第５２４２４０５号商標（以下「引用商標６」という。） 
・商標の構成：「クレオ」の片仮名を標準文字で表してなるもの
・登録出願日：平成２０年１０月２１日
・設定登録日：平成２１年６月２６日 
・指定商品及び指定役務：「写真，写真立て」を含む第１６類、第３５類、第３８類、第４１類、第４２類及び第４５類に属する商標登録原簿に記載のとおりの商品及び役務
３　当審の判断
（１）本願商標について
　本願商標は、「ＣＲＥＯ　ＥＣＡＤ−ＭＣＡＤ　ＣＯＬＬＡＢＯＲＡＴＩＯＮ　ＥＸＴＥＮＳＩＯＮ」の欧文字及び記号を書してなるところ、その構成中、語頭に位置する「ＣＲＥＯ」の欧文字は、辞書等に載録された成語とは認められない。
　また、その構成中の「ＥＣＡＤ」の欧文字は、「電子回路設計用のＣＡＤ装置」（「第２版　略語大辞典」丸善出版）の意味を有する語であり、「ＥＣＡＤ」の欧文字の後にハイフン（「−」）を介して配置された「ＭＣＡＤ」の欧文字は、「ＥＣＡＤ」に関連する語として、「機械設計用のＣＡＤ装置」の意味合いで使用されている例も見受けられる語である。
　さらに、その構成中の「ＣＯＬＬＡＢＯＲＡＴＩＯＮ」の欧文字は、「共同、協力」の意味を、「ＥＸＴＥＮＳＩＯＮ」の欧文字は、「伸ばすこと、拡張」の意味を有する英語であって（いずれも「ランダムハウス英和大辞典第２版」小学館）、いずれも、我が国において親しまれた英単語と理解されるものである。
　そうすると、その構成中、語頭の「ＣＲＥＯ」の欧文字は、特定の語義を有しない造語として理解されるものであるのに対して、「ＥＣＡＤ」以下の各語は、上記のとおり、それぞれ、上記の意味合い等を有する語として理解されるものであるから、「ＥＣＡＤ」以下の文字部分と造語である「ＣＲＥＯ」の文字部分とを常に一体のものとして把握しなければならないような意味上の関連性はない。
　そして、本願商標全体から生じる「クレオイーキャドエムキャドコラボレーションエクステンション」の称呼は、長音を含めて２５音と極めて冗長なものである。
　以上のことからすれば、本願商標の構成中、語頭に位置する造語の「ＣＲＥＯ」の文字部分は、本願商標に接する取引者、需要者において、最も目立つ文字部分として強く印象づけられ着目されるものであるから、該文字のみを捉えて取引にあたる場合も決して少なくないというのが相当である。
　そうすると、本願商標の構成中、「ＣＲＥＯ」の文字部分は、独立して自他商品の識別標識としての機能を果たし得る要部といえるものである。
　してみれば、本願商標に接する取引者、需要者は、その構成中の「ＣＲＥＯ」の文字部分を記憶にとどめ、該文字部分をもって取引にあたる場合も決して少なくないものといえるから、本願商標から該「ＣＲＥＯ」を要部として分離、抽出し、他人の商標と比較することも許されるものといえる。
　したがって、本願商標は、その構成文字全体から「クレオイーキャドエムキャドコラボレーションエクステンション」の称呼を生ずるほかに、該「ＣＲＥＯ」の文字部分に相応して「クレオ」の称呼をも生じ、特定の観念を生じないものである。
（２）引用商標２ないし引用商標６について
　引用商標２ないし引用商標４は、「ＣＲＥＯ」の欧文字を標準文字で表してなり、引用商標５は、別掲のとおり、構成各文字を縦に細長くするデザインが施されているものの、各種のレタリング文字が広く使用されている現状にあっては、「ＣＲＥＯ」の文字を表したものと無理なく理解されるものであるところ、引用商標２ないし引用商標５を構成する「ＣＲＥＯ」の欧文字は、辞書等に載録された成語とは認められないことから、特定の語義を有しない造語として理解されるものである。
　そして、欧文字からなる造語の場合は、我が国で一般に普及しているローマ字又は英語の読みに倣って称呼されるものであるから、該文字は、その綴りから英語の読みに倣って「クレオ」の称呼を生じるものであり、また、特定の観念を生じないものである。
　また、引用商標６は、「クレオ」の片仮名を標準文字で表してなるものであるところ、該文字は、辞書等に載録された成語とは認められず、特定の語義を有しない造語として理解されるものであるから、これよりは、「クレオ」の称呼を生じるものであり、また、特定の観念を生じないものである。
　してみれば、引用商標２ないし引用商標６は、いずれも、「クレオ」の称呼を生じるものであり、また、特定の観念を生じないものである。
（３）本願商標と引用商標２ないし引用商標６の類否
　本願商標の要部である「ＣＲＥＯ」と引用商標２ないし引用商標６との類否について検討するに、まず、本願商標の要部と引用商標２ないし引用商標５とは、ともに「ＣＲＥＯ」の文字の綴りが共通するものであるから、両者は、外観上、類似するものである。
　また、本願商標の要部と引用商標６の「クレオ」の文字は、欧文字と片仮名の表記の相違があるとしても、それぞれの文字を置き換えたものとして、取引者、需要者に看取されるものであるから、外観上、近似した印象を与えるものである。
　次に、称呼においては、本願商標の要部と引用商標２ないし引用商標６は、共に「クレオ」の称呼を生じるものであるから、称呼上、両者は同一である。
　また、観念においては、本願商標の要部と引用商標２ないし引用商標６は、ともに特定の観念を生じないものであるから、両者は、観念上、比較することができない。
　そうすると、本願商標の要部と引用商標２ないし引用商標６は、観念において比較することができないとしても、外観上、類似又は近似した印象を与えるものであって、かつ、その称呼を同一にするものであるから、取引者、需要者に与える印象、記憶、連想等を総合的に勘案すれば、本願商標の要部において、本願商標と引用商標２ないし引用商標６は、互いに相紛れるおそれのある類似の商標というべきである。
（４）本願の指定商品と引用商標２ないし引用商標６の指定商品の類否
　本願の指定商品中の「コンピュータソフトウェア，ダウンロード可能なコンピュータプログラム（ソフトウェア），電子応用機械器具及びその部品」は、引用商標２の指定商品中の「光磁気ディスクドライブ，光ディスクドライブ，磁気ディスクドライブ，イメージスキャナ用のオイル塗布装置，電子応用機械器具及びその部品」、引用商標３の指定商品中の「電子応用機械器具及びその部品」及び引用商標４の指定商品中の「イメージセッター，サーマルイメージングヘッド」とは、それぞれ同一又は類似の商品である。
　また、本願の指定商品中の「コンピュータソフトウェア用インストラクションマニュアル及びユーザーマニュアルに関する電子出版物，電子出版物」は、引用商標５及び引用商標６の指定商品中の「写真，写真立て」とは類似の商品である。
（５）小括
　以上によれば、本願商標は、引用商標２ないし引用商標６と類似する商標であり、また、本願の指定商品と引用商標２ないし引用商標６の指定商品が同一又は類似の商品であるといえるから、本願と引用商標２ないし引用商標６は、商標法第４条第１項第１１号に該当する。
（６）請求人の主張
　請求人は、請求人の業務に係る「ＣＲＥＯ　ＶＩＥＷ」、「ＣＲＥＯ　ＶＩＥＷ　ＭＣＡＤ」及び「ＣＲＥＯ　ＶＩＥＷ　ＥＣＡＤ」という名称のソフトウェア等の製品が提供されているので、本願商標に接する需要者は、本願商標とこれらの商品の名称との混乱を避けるために、本願商標の構成中の「ＣＲＥＯ　ＥＣＡＤ−ＭＣＡＤ」又は「ＣＲＥＯ　ＥＣＡＤ−ＭＣＡＤ　ＣＯＬＬＡＢＯＲＡＴＩＯＮ」の文字部分をもって取引にあたるのが自然であるから、本願商標と引用商標は類似しない旨を主張する。
　しかしながら、本願商標を構成する各文字部分については、前記（１）に記載したとおりであって、「ＣＲＥＯ」の文字部分が、独立して自他商品の識別標識としての機能を果たし得る要部といえるものであるから、本願商標に接する取引者、需要者は、最も目立つ語頭に位置する「ＣＲＥＯ」の文字部分に強く印象づけられ、該文字のみを捉えて取引にあたる場合も決して少なくないというのが相当であり、請求人の業務に係る「ＣＲＥＯ　ＶＩＥＷ」、「ＣＲＥＯ　ＶＩＥＷ　ＭＣＡＤ」及び「ＣＲＥＯ　ＶＩＥＷ　ＥＣＡＤ」という名称のソフトウェア等の製品が提供されているとの理由をもって、本願商標と引用商標２ないし引用商標６が、類似の商標であるとの判断を覆すことはできない。
　したがって、請求人の主張は、採用することができない。
（７）まとめ
　以上のとおり、本願商標は、商標法第４条第１項第１１号に該当し、登録することができない。
　よって、結論のとおり審決する。